(57)【要約】【課題】従来のパチンコ機においては、３個のドラムはケースに対して横一列に配置されていて、その位置で回転するのみであるため、遊技者に対して斬新性を与えることはできなかった。【解決手段】複数の図柄が表示されモータ６によって回転するドラム７を少なくとも上下方向に２個で、かつ、少なくとも左右方向に２個配置すると共に、前記左右方向に配置したドラム列の間に複数の図柄が表示されモータ１６によって回転する移動ドラム１８を上下方向に移動可能に配置し、さらに、前記移動ドラムは少なくとも前記左右方向のドラム位置と同じで位置停止可能とする駆動機構１１，１２，１３によって制御されるようにした遊技機用回転電動役物装置である。【選択図】        図１
2004236787.tif 000002
【特許請求の範囲】
【請求項１】
複数の図柄が表示されモータによって回転するドラムを少なくとも上下方向に２個で、かつ、少なくとも左右方向に２個配置すると共に、前記左右方向に配置したドラム列の間に複数の図柄が表示されモータによって回転する移動ドラムを上下方向に移動可能に配置し、さらに、前記移動ドラムは少なくとも前記左右方向のドラム位置と同じで位置停止可能とする駆動機構によって制御されるようにしたことを特徴とする遊技機用回転電動役物装置。
【請求項２】
前記他のドラムは前記左右方向のドラム列の中間位置でも停止可能としたことを特徴とする請求項１記載の遊技機用回転電動役物装置。
【請求項３】
複数の図柄が表示されモータによって回転するドラムを少なくとも上下方向に２個で、かつ、少なくとも左右方向に２個配置すると共に、前記上下方向に配置したドラム列の間に複数の図柄が表示されモータによって回転する移動ドラムを左右方向に移動可能に配置し、さらに、前記移動ドラムは少なくとも前記上下方向のドラム位置と同じ位置で停止可能とする駆動機構によって制御されるようにしたことを特徴とする遊技機用回転電動役物装置。
【請求項４】
前記移動ドラムは前記上下方向のドラム列の中間位置でも停止可能としたことを特徴とする請求項３記載の遊技機用回転電動役物装置。
【請求項５】
前記他のドラムの移動に伴って移動軌跡上の空間を遮蔽するための遮蔽手段を取付けたことを特徴とする請求項１または２記載の遊技機用回転電動役物装置。
【発明の詳細な説明】
【０００１】
【発明の属する技術分野】
本発明はパチンコ遊技機やコイン遊技機用の電動役物装置において、少なくとも３個以上のドラムを有し、該各ドラムの表面に形成された各ドラムの同じ図柄が、横や縦あるいは斜め方向に揃うことで大当たりになって特別な遊技が行えるようにした遊技機用回転電動役物装置に関する。
【０００２】
【従来の技術】
従来における複数の回転ドラムを回転させ、該ドラムが停止した状態において各ドラムに表示されている図柄が横、縦あるいは斜めに揃った時に特別な遊技状態となるパチンコ遊技機やコイン遊技機にあっては、３個のドラムが横一列に並んだものであり、近年、遊技者にあきられている傾向にある。
【０００３】
そこで、本出願人会社は特開平９−６９９号公報あるいは特開２０００−２４２０８号公報に開示されている遊技機用回転電動役物装置を開発した。この発明における前者のものは、４個、６個あるいは９個のドラムを正面から見て四角形状となるように上下左右に配置したものである。また、後者のものは、４個のドラムを上下左右に配置すると共に左右方向の２個のドラムとの間で、かつ、上下方向の中央にもう一つの回転ドラムを配置したものである。
【０００４】
そして、前記した前者における発明の遊技機用回転電動役物装置は、例えば、４個のドラムの内の少なくとも３個のドラムが同じ図柄になったときに大当たりとなるものであり、また、後者の発明における遊技機用回転電動役物装置は、５個のドラムの内の横２個、縦２個あるいは斜め３個（中央のドラムを含む）の図柄が同じとなったときに大当たりとなるものである。
【０００５】
【特許文献１】
特開平９−６９９号公報
【特許文献２】
特開２０００−２４２０８号公報
【０００６】
【発明が解決しようとする課題】
ところで、前記した何れの発明にあっても、４個以上のドラムが回転することで大当たりのバリエーションが多くなるのみであり、また、ドラムは該ドラムが収容されているケースの所定位置において回転するのみであるため、３個ドラムの回転電動役物装置とそれ程大きな差異はなく、遊技者に対して斬新性を与えることはできなかった。
【０００７】
本発明は前記した問題点を解決せんとするもので、その目的とするところは、少なくとも左右上下方向に２個づつのドラムが配置され、該２個づつのドラムの間における上下方向あるいは左右方向に１つのドラムが配置されて上下あるいは左右方向に回転しながら移動するようにしたので、従来にないドラムの移動という斬新性を遊技者に与えることができる遊技機用回転電動役物装置を提供せんとするにある。
【０００８】
【課題を解決するための手段】
本発明の遊技機用回転電動役物装置は前記した目的を達成せんとするもので、請求項１の手段は、複数の図柄が表示されモータによって回転するドラムを少なくとも上下方向に２個で、かつ、少なくとも左右方向に２個配置すると共に、前記左右方向に配置したドラム列の間に複数の図柄が表示されモータによって回転する移動ドラムを上下方向に移動可能に配置し、さらに、前記移動ドラムは少なくとも前記左右方向のドラム位置と同じ位置で停止可能とする駆動機構によって制御されるようにしたことを特徴とする。
【０００９】
請求項２の手段は、前記請求項１において、前記移動ドラムは前記左右方向のドラム列の中間位置でも停止可能としたことを特徴とする。
【００１０】
請求項３の手段は、複数の図柄が表示されモータによって回転するドラムを少なくとも上下方向に２個で、かつ、少なくとも左右方向に２個配置すると共に、前記上下方向に配置したドラム列の間に複数の図柄が表示されモータによって回転する移動ドラムを左右方向に移動可能に配置し、さらに、前記移動ドラムは少なくとも前記上下方向のドラム位置と同じ位置で停止可能とする駆動機構によって制御されるようにしたことを特徴とする。
【００１１】
請求項４の手段は、前記請求項３において、前記移動ドラムは前記上下方向のドラム列の中間位置でも停止可能としたことを特徴とする。
【００１２】
請求項５の手段は、前記請求項１および請求項３において、前記他のドラムの移動に伴って移動軌跡上の空間を遮蔽するための遮蔽手段を取付けたことを特徴とする。
【００１３】
【発明の実施の形態】
以下、本発明に係る遊技機用回転電動役物装置の第１の実施の形態を図１〜図５と共に説明する。
図１において、Ａはケース、Ｂは該ケースＡの背面にネジ止めによって固定される裏蓋にして、前記ケースＡ内に本発明の回転電動役物装置Ｃが収納されている。なお、前記ケースＡは図２に示すように前面と背面が開放された形状となっている。
【００１４】
次に、ドラムが５個で、かつ、中央のドラムが上下方向に移動するように構成したドラムユニットＣの具体例を図２〜図５と共に説明する。
１は後述する５個のドラムの回転を制御するためのコントロール基板にして、上下中央には蛍光管やＬＥＤからなる照明灯１ａが取付けられている。２は前記コントロール基板１の上部中央に一端がネジ止めによって固定された第１ベース板、３は同じくコントロール基板１の下部中央に一端がネジ止めによって固定された第２ベース板である。
【００１５】
４，５は前記コントロール基板１の上下に固定された第１、第２ベース板２，３の左右側面にネジ止めによって固定された第１、第２ドラムベースにして、それぞれのドラムベースには上下位置に一対のモータ６が取付けられ、該モータ６の出力軸には透明あるいは半透明の樹脂等で形成された表面に多数の図柄が描かれたドラム７が、モータ６を覆うように取付けられている。
【００１６】
また、前記第１、第２ドラムベース４，５の前記モータ６とドラム７との間にはＬＥＤ等の照明灯を有するランプ装置８が第１、第２ドラムベース４，５に固定されており、正面から見て前記ドラム７の図柄が見え易いように照明可能に形成されている。
【００１７】
前記第１、第２ドラムベース４，５における前記モータ６より奥側にはガイドレール９が取付けられ、また、第１ドラムベース４における前記ガイドレール９の前側の上下方向に沿って３個の通過型ホトセンサ１０ａが取付けられた取付板１０が取付けられている。
【００１８】
１１は前記第１、第２ベース板２，３に設けられた軸受２ａ，３ａに軸支されたネジ棒にして、下端にはウォームホイール１１ａが取付けられている。そして、このウォームホイール１１ａに噛合されるウォームギア１２ａが出力軸に取付けられたモータ１２が第２ベース板３に固定されている。
【００１９】
１３は前記ネジ棒１１に螺合される雌ネジ１３ａが内蔵された移動ブロックにして、前面側は後述する第５のドラムである移動ドラム１８の円弧状に合わせた円弧部１３ｂが形成されている。そして、移動ブロック１３の左右両側に左側板１４と右側板１５がネジ止め固定されている。なお、右側板１５には上下動することによって順次、前記３個のホトセンサ１０ａを通過して移動ブロック１３の位置を検出するための検出片１５ａが突出して形成されている。
【００２０】
前記左側板１４にはモータ１６およびランプ装置１７が前記したドラムベース４，５と同様に取付けられており、該モータ１６の出力軸には移動ドラム１８が取付けられている。なお、１９は一端が前記した第１ベース板２に他端が前記左右側板１４，１５の前面側上端に取付けられた可撓性を有する樹脂性の遮蔽手段、２０は一端が前記した第２ベース板３に他端が前記左右側板１４，１５の前面側下端に取付けられた可撓性を有する樹脂性の遮蔽手段である。
【００２１】
２１は前記モータ１６およびランプ装置１７とコントロール基板１とを接続するためのフレキシブル基板、２２は前記移動ブロック１３の奥側上下に回転自在に取付けられたローラにして、該ローラ２２はドラムベース４，５に取付けられている前記ガイドレール９にガイドされ、これにより、移動ブロック１３は上下動可能になっている。
【００２２】
このような構成の本発明の回転電動役物装置は、ドラムベース４，５に各２個のモータ６およびランプ装置８を取付けると共に、前記各モータ６の出力軸にドラム７を取り付ける。また、第２ベース板３にモータ１２を取付け、また、第１ベース板２との間にネジ棒１１を軸受２ａ，３ａによって軸受した状態で取付けると共にネジ棒１１に取付けられているウォームホイール１１ａをモータ１２のウォームギア１２ａとを噛合させる。
【００２３】
さらに、左側板１４にモータ１６およびランプ装置１７を取付けると共に、該モータ１６に移動ドラム１８が取付けられた状態で、右側板１５と共に移動ブロック１３の両側にネジ止め固定する。この時、移動ドラム１８は移動ブロック１３の円弧部１３ｂに位置するので、該移動ドラム１８が移動ブロック１３と接触するようなことはない。
【００２４】
また、この時点において、移動ブロック１３に取付けられているローラ２２はドラムベース４，５に取付けられているガイドレール９に案内される状態となり、かつ、右側板１５に形成されている検出片１５ａはドラムベース４に取付けられているホトセンサ１０ａと対応関係となっている。そして、最後に遮蔽手段１９を第１ベース板２と左右側板１４，１５との間に、また、遮蔽手段２０を第２ベース板３と左右側板１４，１５との間に取付けて組み立ては終了する。
【００２５】
なお、モータベース４，５に取付けられた取付板１０には３個の通過型ホトセンサ１０および中継コネクタが取付けられ、また、移動ブロック１３にも中継コネクタ基板２８が取付けられ、それぞれプリン基板で構成されているので、モータベース４，５のタネクタとコントロール基板１の左右のコネクタにそれぞれリード線で接続することで、モータ６およびランプ装置８は電気的にコントロール基板１と接続される。
【００２６】
また、移動ブロック１３の中継基板２８とコントロール基板１の左側面のコネクタにフレキシブル基板２１で接続することで、モータ１６およびランプ装置１７も電気的にコントロール基板１と接続される。さらに移動ブロック１３を上下動させるモータ１２のリード線もコントロール基板１の下方のコネクタに電気的に接続される。
【００２７】
次に、前記した構成の回転電動役物装置の動作について説明する。
遊技者が打った玉が入賞口に入ると、図示しないコンピュータよりの指令によってコントロール基板１を介してモータ６，１６に通電されドラム７，１８が回転を開始すると共にランプ装置８，１７にも通電され点灯あるいは点滅を開始する。
【００２８】
また、モータ１２にも通電が開始されるので、ウォームギア１２ａを介してウォームホイール１１ａが回転され、これによりネジ棒１１が回転することで、該ネジ棒１１に螺合されている移動ブロック１３内に内蔵された雌ネジ１３ａによって移動ブロック１３が上下動を開始する。なお、この上下動において移動ブロック１３に取付けられているローラ２２がガイドレール９にガイドされていることから、回転することなく垂直方向のみで移動することとなる。
【００２９】
前記移動ブロック１３が上下移動すると右側板１５に形成された検出片１５ａが取付板１０の上下方向に取付けられているホトセンサ１０ａの光を遮るように移動することとなるので、この光が遮断されたホトセンサ１０ａよりの信号がコントロール基板１に出力される。従って、移動ブロック１３の位置がどこにあるのかをコントロール基板１において知ることが可能となる。
【００３０】
そして、前記コンピュータよりの指令によって前記モータ６が停止すると４個のドラムが停止する。この時、例えば、上側左右２個のドラムの図柄が大当たりである「７」を表示していたとした場合、移動ブロック１３が図５（ｂ）の位置で停止し、かつ、移動ドラム１８の図柄が「７」となれば横一列が揃うので大当たりとなる。すると、図示しない大当たり開口が一定時間で、かつ、複数回繰り返し開口されるものである。
【００３１】
また、左ドラム７の上の図柄が「７」で、右ドラムの下の図柄が「７」を表示している場合には、移動ブロック１３が図５（ａ）の位置で停止し、かつ、移動ドラム１８の図柄が「７」となれば斜め一列が揃うので大当たりとなるものである。なお、移動ブロック１３の停止位置は移動ブロックの位置を前記ホトセンサ１０ａによって検出することが可能なので、コンピュータはホトセンサ１０ａよりの出力によって所定の位置で停止させることができる。
【００３２】
前記移動ブロック１３の上方への移動時において遮蔽手段２０の上端が、移動ブロック１３に固定されている左右側板１４，１５の下端に軸支されていることから、遮蔽手段１９の上端が引き上げられて表面側から内部の構造が見えないようになる。
【００３３】
また、この時、コントロール基板１に取付けられている照明灯１ａが点灯しているので、遮蔽手段１９，２０を透明あるいは半透明の樹脂で、かつ、表面に粒子状の凹凸を形成しておくことで、前記照明灯１ａよりの光は乱反射されて綺麗に見えるようになる。また、移動ブロック１３が下方へ移動した場合には、遮蔽手段１９の下端が引き下げられて、同じく内部の構造が見えなくなる。
【００３４】
なお、前記した説明では、背面よりの照明灯１ａによって遮蔽手段１９，２０を照明した場合について説明したが、前面よりの光によって照明してもよく、さらに、遮蔽手段１９，２０に対して図柄を形成して、遊技者に対して美観を与えるようにしてもよい。
【００３５】
前記した実施の形態にあっては、縦列の左右にドラム７をそれぞれ２個配置し、該縦列のドラム７の間に移動ブロック１３を上下方向に移動させる場合については説明したが、前記ドラム７を横列にそれぞれ２個配置し、該横列のドラムの間に移動ブロック１３を左右方向に移動させるようにしてもよい。この場合には、前記したネジ棒１１を横方向に取付け回転させることで移動ブロック１３を左右方向に移動させることができることは当然のことである。
【００３６】
また、前記した実施の形態にあっては、移動ブロック１３をモータ１６を駆動源とするネジ棒１１によって行う場合について説明したが、図６（ａ）〜（ｃ）に示すように、移動ブロック１３の背面側にラック１３ｃを形成し、このラック１３ｃに、例えば、コントロール基板１に固定されたモータ（図示せず）の出力軸に取付けられたピニオン２３と噛合させることにより移動ブロック１３を上下方向あるいは左右方向に移動させるようにしてもい。
【００３７】
なお、前記図６における（ｂ）は、移動ブロック１３が中間位置に移動した図を示しており、遮蔽手段２０は一端が移動ブロック１３に支持された柔軟性を有するフィルムによって構成されており、他端はフリーな状態となっている。そして、前記フィルムである遮蔽手段２０の中間部は第２ベース３に軸支されたローラ３ｃを経由して他端はフリーな状態となっている。
【００３８】
従って、移動ブロック１３が上方に移動すると遮蔽手段２０は他端がフリーな状態となっているので上方に引き上げられて内部の構造が外部から見えないようにし、また、移動ブロック１３が下方に移動するとフリー端が後方に移動することで遮蔽手段１３は下方に移動することとなる。
【００３９】
また、図６における（ｃ）は、第２ベース板３に樹脂膜や布等からなる遮蔽手段２０をロール２４によって巻き取った構造のものであり、移動ブロック１３が上方に移動するとロール２４から遮蔽手段２０が引き出されて背面側の構成が見えないようになる。また、移動ブロック１３の上側にも、前記した下側と同様な構成に遮蔽手段２０を構成することは勿論のことである。
【００４０】
図７は移動ブロック１３を移動させるための他の実施の形態を示し、この実施の形態にあっては、移動ブロック１３の背面側の上下端にチェーンやタイミングベルト２５の先端を取付け、該チェーンやタイミングベルト２５を２個のガイドローラ２６でガイドすると共に、該ガイドローラ２６の中間におけるチェーンやタイミングベルト２５とモータ（図示せず）の歯車とを噛合させることによって移動させるようにしたものである。
【００４１】
なお、図示していないが、移動ブロック１３を上下あるいは左右方向に移動させる手段としては、リニアモータを使用して構成の簡素化を図ることも可能である。
【００４２】
図８、図９はさらに他の実施の形態を示し、前記した何れの実施の形態も左右または上下にそれぞれ２個のドラム７を配置し、該ドラム７の縦列あるいは横列の間に移動ブロック１３を移動させて移動ドラム１８を上下あるいは左右方向に移動させものであるが、図８の実施の形態のものは、縦列にそれぞれ３個のドラム７を配置し、該縦列のドラム７の間に移動ブロック１３を移動させて移動ドラム１８を上下方向に移動させたものであり、図９の実施の形態のものは、横列にそれぞれ３個のドラムを配置し、横列のドラム７の間に移動ブロック１３を移動させて移動ドラム１８を左右方向に移動させたものである。
【００４３】
このような実施の形態にあっては、大当たり状態となるのが、横３列と斜め２列となり、計５つの大当たり状態となり、前記した実施の形態が４つの大当たり状態よりも１つ多くなるので遊技者に対してより大きな期待感を与えることができるものである。
【００４４】
また、前記した何れの実施の形態においても、移動ドラム１３は１つの場合について説明したが、ドラム７の縦列や横列を３列以上となし、これに伴って各列の間に移動ドラム１３を配置しても移動ドラム１８を増加しても良いことは勿論のことである。
【００４５】
【発明の効果】
本発明は前記したように、縦列あるいは横列を少なくとも２列となし、かつ、各列に少なくとも２つの回転ドラムを配置すると共に、縦列あるいは横列の間を上下あるいは左右方向に移動しながら回転する移動ドラムを配置して、大当たり状態の数を少ないドラム数で実現したことにより、大当たりの数を増やすことで遊技者に対して大当たりの可能性が多くなって期待感を与えることができるという効果を有するものである。
【図面の簡単な説明】
【図１】本発明に係る遊技機用回転電動役物装置の一実施の形態を示す正面斜視図である。
【図２】同上のケースより電動役物装置を分離した状態の斜視図である。
【図３】同上の電動役物装置の分解斜視図である。
【図４】同上の一部を組み立てた状態の斜視図である。
【図５】（ａ）は移動ドラムが中間位置に停止した状態の斜視図、（ｂ）は移動ドラムが上端位置に停止した状態の斜視図である。
【図６】（ａ）は他の実施の形態の移動ドラム部分を示す側面図、（ｂ）は（ａ）の遮蔽手段の他の実施の形態を示す側面図、（ｃ）は他の遮蔽手段を示す側面図である。
【図７】他の実施の形態を示す移動ドラム部分の斜視図である。
【図８】縦列のドラムをそれぞれ３個とした場合の斜視図である。
【図９】横列のドラムをそれぞれ３個とした場合の斜視図である。
【符号の説明】
６                モータ
７                ドラム
１１，１２，１３  駆動機構
１６              モータ
１８              移動ドラム
【図１】
2004236787.tif 000003
【図２】
2004236787.tif 000004
【図３】
2004236787.tif 000005
【図４】
2004236787.tif 000006
【図５】
2004236787.tif 000007
【図６】
2004236787.tif 000008
【図７】
2004236787.tif 000009
【図８】
2004236787.tif 000010
【図９】
2004236787.tif 000011